(57)【要約】【課題】  記憶された多量の映像コンテンツから所望のコンテンツを選択することは煩雑だった。【解決手段】  映像ファイル２２のデジタル映像信号を録画または再生中にリモコン４の印刷ボタンが押されると、その映像ファイル２２のインデックス２３に印刷マーク２６を付加する。また、再生対象の映像を選択する場合は、印刷マーク２６のある映像ファイル２２から検索する。【選択図】  図１
2005175782.tif 000002
【特許請求の範囲】
【請求項１】
受信した放送情報をもとにプリンタにより印刷する受信装置において、
記憶手段を具備し、少なくとも、前記記憶手段に、印刷したことを記憶するコード情報、及び／または印刷対象画像に基づいた画像データ、及び／または印刷位置を示すアドレス情報を記憶することを特徴とする受信装置。
【請求項２】
前記受信装置は、受信した放送の特定の放送を録画映像として前記記憶手段に記憶し、前記コード情報は、前記録画映像に関連付けて、記憶されることを特徴とする請求項１に記載の受信装置。
【請求項３】
前記受信装置は、受信した放送の特定の放送を録画映像として前記記憶手段に記憶し、前記画像データは、前記録画映像に関連付けて記憶されるサムネイル画像データであることを特徴とする請求項１に記載の受信装置。
【請求項４】
前記受信装置は、受信した放送から複数の放送を複数の録画映像として前記記憶手段に記憶し、前記複数の録画情報を検索する際、印刷履歴のある録画情報から検索する検索手段を具備することを特徴とする請求項１に記載の受信装置。
【請求項５】
前記受信装置は、受信した放送から特定の放送を録画映像として前記記憶手段に記憶し、前記録画情報を再生する際、印刷対象画像を特定するアドレス位置に基づき、録画情報の途中から再生する制御手段を具備することを特徴とする請求項１に記載の受信装置。
【請求項６】
前記受信装置は、受信した放送から複数の放送を複数の録画映像ファイルとして前記記憶手段に記憶し、印刷履歴のある録画情報に対して、重要度を設定する設定手段を具備することを特徴とする請求項１に記載の受信装置。
【請求項７】
前記受信装置は、前記重要度を参照して、前記録画映像ファイルの中から不要ファイルを決定する不要ファイル決定手段を具備することを特徴とする請求項６に記載の受信装置。
【請求項８】
前記受信装置は、受信した放送から複数の放送を複数の録画映像ファイルとして前記記憶手段に記憶し、前記録画映像ファイルの中から不要ファイルを決定する不要ファイル決定手段を具備し、前記不要ファイル決定手段で決定された前記録画映像ファイルが印刷履歴を持っているかどうかを判断する判断手段と、前記判断手段の結果印刷履歴を持っている場合は、前記録画映像ファイルの中から印刷対象となった映像フレームを特定し、印刷ファイルとして記憶することを特徴とする請求項１に記載の受信装置。
【請求項９】
放送を受信する受信装置と、前記受信装置によって受信した放送情報をもとに印刷するプリンタと、前記受信装置に有線または無線で接続可能な携帯情報機器を備えた情報処理システムにおいて、
前記受信装置は、記憶手段を具備し、少なくとも、前記記憶手段に記憶している映像データ及び／または印刷画像に基づき作成された静止画像データを送信する送信手段を具備することを特徴とする情報処理システム。
【請求項１０】
受信した放送情報を記憶するとともに、受信した放送情報をもとにプリンタにより印刷する受信装置のための受信プログラムにおいて、
受信した放送をもとに印刷したことを記憶し、
前記記憶した放送情報を検索する際、印刷したことが記憶されている放送情報から検索することを特徴とする受信プログラム。
【発明の詳細な説明】
【技術分野】
【０００１】
本発明は、受信した放送信号をもとにテレビジョン画像等を印刷することが可能な受信装置に関する。
【背景技術】
【０００２】
受信したデジタル放送に基づき印刷するプリンタについては、特許文献１、２などで提案されている。
【０００３】
特許文献１では、受信したデジタル放送を受信する受信装置が印刷対象の画像データをプリンタに送信し、プリンタは受け取った画像データを記憶して印刷することを特徴としている。
【０００４】
特許文献２では、デジタル放送受信中、プリント指定により印刷対象画面を複数の子画面で表示し、子画面の中から、選択して印刷する制御を特徴としている。
【０００５】
また、記憶している録画映像に対して、優先度情報を付加する先行例としては、特許文献３がある。
【特許文献１】特開２００１−１１１９２３号公報
【特許文献２】特開２００３−１１０９５７号公報
【特許文献３】特開２００１−２０３９６０号公報
【発明の開示】
【発明が解決しようとする課題】
【０００６】
しかしながら、記憶した多量の映像コンテンツから所望のコンテンツを選択する煩雑さを十分に軽減することはなされていなかった。印刷した履歴に基づきデジタルビデオデコーダなどで記憶している関連映像の選択処理を行ったりする制御は、従来例では対応されてなかった。
【０００７】
また、不要ファイルの特定の煩雑さを十分に軽減することはなされていなかった。印刷履歴に関連して、優先度情報を付加する制御は従来例では対応されてなかった。
【０００８】
本発明は、上記従来技術では対応されていなかった、印刷履歴と映像を関連付けることを目的とする。
【課題を解決するための手段】
【０００９】
上述した目的を達成する為、本発明における受信装置は、受信した放送情報をもとにプリンタにより印刷する受信装置において、記憶手段を具備し、少なくとも、前記記憶手段に、印刷したことを記憶するコード情報、及び／または印刷対象画像に基づいた画像データ、及び／または印刷位置を示すアドレス情報を記憶することを特徴とする。
【００１０】
また、放送を受信する受信装置と、前記受信装置によって受信した放送情報をもとに印刷するプリンタと、前記受信装置に有線または無線で接続可能な携帯情報機器を備えた情報処理システムにおいて、前記受信装置は、記憶手段を具備し、少なくとも、前記記憶手段に記憶している映像データ及び／または印刷画像に基づき作成された静止画像データを送信する送信手段を具備することを特徴とする。
【発明の効果】
【００１１】
本発明は、印刷履歴情報を映像情報と関連付けることにより、印刷履歴に応じた処理が可能になる。例えば、印刷履歴に基づいて、映像情報から選択することが可能となり、録画している膨大な映像情報から選択するのに比べて、煩雑さを防ぐ効果がある。
【００１２】
また、操作者が、映像の一部を見たい場合に、印刷履歴のある位置から再生することを可能としており、重要なシーンを繰り返し見たい操作者の要求を満たす効果がある。
【００１３】
また、印刷履歴に応じて、映像の重要度を付加することが可能であり、ハードディスクなどの記憶媒体の残容量が少なくなってきた際に、自動的に不要映像を選択できる効果がある。
【００１４】
また、携帯電話から録画した映像や印刷した画像を選択し、携帯電話の表示器で見ることを可能とし、操作者が、録画映像、印刷画像をいつでも、どこでも見ることが出来るようになる。
【発明を実施するための最良の形態】
【００１５】
以下に本発明の実施形態を、図面を参照して説明する。
【実施例１】
【００１６】
本実施例では、デジタル放送を受信可能な、デジタルビデオレコーダについて説明する。
【００１７】
図１は、本実施例のシステム構成図である。
【００１８】
デジタル放送受信装置としてのデジタルビデオレコーダ１は、アンテナ３から受信したデジタル放送を受信し、リモコン４に配設されているボタンの操作により、受信したデジタル放送を選局して映像信号を表示装置２に表示する映像表示処理、選局した映像信号を内蔵の記憶手段であるハードディスク２１へ録画する録画処理及びハードディスク２１から録画映像を再生する再生処理、及び、映像信号から抽出して画像処理した静止画像をプリンタに出力する処理などを行う。すなわち、デジタルビデオレコーダ１は、デジタル放送を受信し、受信したデジタル放送情報をもとにプリンタにより印刷する受信装置である。
【００１９】
２は液晶表示技術などを用いた表示装置であり、デジタルビデオレコーダ１からの映像信号を表示する。３はアンテナであり、地上波デジタル放送や、衛星デジタル放送を映像信号として受信する。なお、デジタル放送される映像信号にはメタデータも含まれており、メタデータに選局情報や番組に関する情報、印刷の為の静止画情報なども含まれている。以下、メタデータも含め映像信号として説明する。
【００２０】
４はリモコンであり、制御用のボタンを操作者が操作可能となっている。５はインクジェット技術などを用いたプリンタであり、静止画像をデジタルビデオレコーダ１から受信し、印刷用の信号に変換して、インクジェット技術などを用いて印字紙上に描画する。
【００２１】
デジタルビデオレコーダ１の内部構成として、１１はデジタル放送受信部であり、放送信号から搬送波を除去し、後述の制御部１３の制御により、アンテナ３から入手したデジタル放送をもとに好みの映像チャンネルを選局し、ＭＰＥＧ２などの圧縮技術により圧縮されている映像を出力する。
【００２２】
１２は映像制御部であり、制御部１３の制御により、入手した映像信号をハードディスク２１に録画する処理、入手映像信号をもとに、圧縮データの伸張処理などを行い表示装置２へ映像出力する処理、ハードディスク２１に記憶されている録画映像データの伸長処理などを行い、表示装置２への映像出力する再生処理、入手映像信号をもとに印刷データを作成する印刷データ作成処理などを行う。
【００２３】
１３は制御部であり、内蔵の入力制御手段１６によりリモコン４からのキー信号を赤外線通信などにより受信し、記憶制御手段１４によりハードディスク２１への記憶制御、印刷制御手段１５によりプリンタ５への印刷データ出力制御などを実行する。なお、制御部１３による制御手順に関しては、図２以降のフローチャートともに詳細説明する。
【００２４】
記憶手段としてのハードディスク２１は、記憶制御手段１４の制御のもと、映像制御部１２を介して入手したデジタル映像信号を、映像ファイル２２として録画しているとともに、プリンタ５に出力した印刷データを、印刷ファイル２９として記憶し、ファイルを属性とともに管理するインデックス２３、いろいろな設定値を記憶する設定データ３０などを記憶している。
【００２５】
インデックス２３には、映像ファイル２２、印刷ファイル２９のファイル番号２４、各ファイルの記憶開始位置である開始アドレス２５、対象ファイルにおいて印刷履歴があるかどうかを記憶する印刷マーク２６、印刷データの縮小画像であるサムネイル２７、対象ファイルのなかで、印刷されたフレームのアドレスである印刷アドレス２８などが記憶されている。なお、図示していないが、ファイルを録画した録画日時や再生時間なども本実施例ではインデックス２３に記憶している。
【００２６】
設定データ３０には、重要度の設定として、再生時間により重要度を設定している再生時間重要度３１、印刷マークにより重要度を設定している印刷マーク重要度などを記憶している。設定データには、図示していないが、録画予約時間や、録画時のチャンネルなどの設定値も記憶している。
【００２７】
インターフェース１８はプリンタ５に印刷データを送信する為のインターフェースであり、本実施例ではシリアル通信として一般的なＵＳＢ規格によるインターフェースを採用している。もちろん無線通信規格のＢｌｕｅｔｏｏｔｈ（登録商標）や無線ＬＡＮなどのインターフェースを採用してもよい。
【００２８】
以上が図１に示したデジタルビデオレコーダの構成説明であるが、電源回路、クロック発生回路、タイマーなど図示していないが当然必要な構成要素である。
【００２９】
図２は上述した構成のデジタルビデオレコーダ１において、リモコン４を操作者が操作し、印刷ボタン押下時の処理流れを示す。なお、制御部１３は、プログラムをもとに動作するコンピュータであって、図２、及び、後述する図３から図５は、このプログラムの一部を示す。
【００３０】
流れ１００でリモコン４の印刷ボタンが押されたことを検出すると、制御部１４は、流れ１０１で表示中の映像データまたはメタデータ（選局情報や番組に関する情報、印刷の為の静止画情報など）をもとに映像制御部１２により印刷画像を生成する。流れ１０２の判別は録画または再生中に印刷ボタンが押されたかどうかの判別であり、録画または再生中に印刷ボタンが押された場合は、流れ１０４以降へと進み、デジタル放送を受信して、映像を見ている際に印刷ボタンが押された場合は、流れ１０８以降へと進む。
【００３１】
映像ファイル２２のデジタル映像信号を録画または再生中に印刷ボタンが押されると、流れ１０４でその映像ファイル２２のインデックス２３に印刷マーク２６を付加する。流れ１０５で、印刷画像を映像制御手段１２によりサムネイル処理し、流れ１０６でインデックス２３のサムネイル記憶エリア２７に記憶する。流れ１０７で、映像データのどのフレームを印刷したかを指し示す印刷アドレス２８をインデックス２３に記憶する。すなわち、デジタルビデオレコーダ１は、デジタル放送の選局された特定デジタル放送を録画映像としてハードディスク２１に記憶する。録画映像はデジタル放送とともに放送されるメタデータを含む。印刷したことを記憶するコード情報である印刷マーク２６は、録画映像に関連付けて記憶される。
【００３２】
受信中の映像を見ている際に印刷ボタンが押されると、流れ１０８で印刷画像を印刷ファイル２９の記憶エリアに記憶し、流れ１０９でファイル番号をインデックス２３に記憶する。
【００３３】
流れ１１０で生成した印刷画像を、インターフェース１８を介してプリンタ５に送信する。
【００３４】
以上説明した図２に示した処理により、印刷ボタン押下時、プリンタに印刷データを送信し、印刷データをファイルとして記憶するとともに、インデックス２３の作成が可能となる。
【００３５】
すなわち、記憶手段であるハードディスク２１に、印刷したことを記憶するコード情報である印刷マーク２６、及び／または印刷対象画像に基づいた画像データであるサムネイル２７、及び／または印刷位置を示すアドレス情報である印刷アドレス２８を記憶する。印刷マーク２６、サムネイル２７、及び、録画映像の印刷対象画像が記憶されているアドレスである印刷アドレス２８は、録画映像に関連付けて記憶される。
【００３６】
映像ファイル２２へのデジタル映像信号の録画中または映像ファイル２２からのデジタル映像信号の再生中に印刷ボタンが押された場合には、その映像ファイルのインデックス２３に、印刷マーク２６を付加し、印刷画像のサムネイル２７を記憶し、映像ファイル２２中の印刷されたフレームのアドレス２８を記憶する。
【００３７】
また、受信中（録画していない場合）に印刷ボタンが押された場合には、生成した印刷画像を印刷ファイル２９に記憶し、その印刷ファイル２９のインデックス２３を生成する。
【００３８】
図３はデジタルビデオレコーダ１において、リモコン４を操作者が操作し、再生ボタン押下時の処理流れを示す。
【００３９】
流れ１２０で、リモコンの再生ボタンが押されたことを検出すると、制御部４は、流れ１２１で、表示装置２にモード選択画面の表示を行い、操作者は映像ファイル２２のすべての中から再生対象の映像を選択するか、印刷マーク２６が付加されている映像ファイル２２の中から、再生対象の映像を選択するか、リモコン４を用いて選択する。
【００４０】
すべての映像ファイルから再生対象映像を選択する場合は、流れ１２３に進み、全ファイルのファイル番号２４及びサムネイル２７を映像制御部１２に送信する。印刷された映像ファイル２２のインデックス２３に格納されたサムネイルは、印刷された画像のサムネイルであり、印刷されていない映像ファイル２２のインデックス２３に格納されたサムネイルは、例えば、最初のフレームのサムネイルである。印刷されていない映像ファイル２２のインデックス２３に格納されたサムネイルは、メタデータに基づいて作成してもよい。
【００４１】
印刷マークが付加された映像ファイルから再生対象映像を選択する場合は、流れ１２４で、インデックス検索し、流れ１２５で、印刷マーク２６が付加されているかどうかの判別を行う。印刷マークが付加されている場合は、流れ１２６でファイル番号及びサムネイルを映像制御部１２に送信する。上述の流れ１２４から１２６を繰り返し、インデックスすべての検索が終了すると流れ１２７の判別で、流れ１２８へ進む。
【００４２】
流れ１２８で、映像制御部１２の制御により、表示処理を行う。ここでは、ハードディスク２１から受信したファイル番号２４及びサムネイル２７を元に選択画面を表示する。流れ１２９で映像選択処理を、操作者はリモコン４を使って行う。なお図示していないが、多くの映像ファイルがあり、選択画面が複数画面必要な場合は、操作者はリモコンを使って、ページ変更しながら、映像選択処理を行う。
【００４３】
選択された映像ファイルが印刷された映像ファイルである場合、流れ１３０で映像を最初から再生するか、印刷処理した位置から再生するか、操作者はリモコンを使って選択する。最初から再生する場合は、制御部１４は、流れ１３１で開始アドレス２５からの映像データを映像制御部１２に送信することにより映像再生する。また、印刷処理した位置から再生する場合は、制御部１４は、流れ１３５で、印刷アドレス２６からの映像データを映像制御部１２に送信することにより映像再生する。選択された映像ファイルが印刷されていない映像ファイルである場合、制御部１４は、開始アドレスから映像再生する。
【００４４】
以上本実施例の再生処理について、図３とともに説明した。本実施例では、再生対象の映像を選択する場合に、流れ１２４から１２７に示したように、複数の録画情報（映像ファイル２２）を検索する際、印刷履歴（印刷マーク２６）のある録画情報から検索する。すなわち、過去に印刷した映像に限定して、選択することが可能となる。ハードディスクなどの記憶容量が非常に大きくなってきており、数百の映像コンテンツを記憶可能である。記憶容量の増加は今後も進み、将来的には数千の映像コンテンツを記憶可能となるであろう。その際に問題になるのは、映像コンテンツの選択の煩雑さである。本実施例によれば、印刷した映像に限定して選択処理が可能となり、煩雑さを軽減可能となる。なお図３には示していないが、過去に印刷していない映像コンテンツの中から選択するような処理を追加してもよい。また、再生時間と組み合わせて、再生処理を行っていない、あるいは、再生を行った映像コンテンツを選んで選択処理をしてもよい。
【００４５】
また、本実施例では、録画情報を再生する際、印刷対象画像を特定するアドレス位置である印刷アドレス２８に基づき、録画情報の途中から再生する。すなわち、流れ１３５で示したように印刷アドレスから映像を再生できることである。デジタルビデオレコーダの使用者が、映像コンテンツの重要な部分のみを再生したいときに、印刷した部分の映像から再生できることは有用である。
【００４６】
なお、本実施例の流れ１３５では印刷アドレスから映像を再生しているが、印刷したアドレスを参照して、たとえば１分前から映像を再生するようにしてもよい。また、設定画面を設けて、１、２、３分前などのいずれかから映像を再生できるよう設定してもよい。
【００４７】
またメタデータに含まれる静止画像を印刷した場合には、印刷指示した映像位置を印刷アドレスとして記憶しておき、流れ１３５の処理を行うようにしてもよい。
【００４８】
図４はデジタルビデオレコーダ１において、リモコン４を操作者が操作し、設定ボタン押下時の処理流れを示す。
【００４９】
流れ１４０でリモコン４の設定ボタンが押されると、制御部１４は、流れ１４１で表示装置２にモード選択画面の表示する。ここでは、時刻設定、録画予約などの設定モードとともに、映像消去の設定モードの選択画面を表示する。映像消去の設定モードを、リモコン４を使って操作者が選択した場合は、流れ１４２の判別で、流れ１４４へ進む。それ以外の設定モードを選択した場合は流れ１４３に進み、その他の設定処理として時刻設定、録画予約などを行う。
【００５０】
流れ１４４で、制御部１４は、映像消去の設定画面を表示する。流れ１４５で、印刷マークが付加されている映像を重要とするか、重要としないかを、操作者がリモコン４を使用して選択する。判別の結果、印刷マークが付加されていると重要とする場合は、流れ１４７に進み、印刷マーク重要度の記憶エリア３２を１にし、重要としない場合は、流れ１４６へ進み、印刷マーク重要度の記憶エリア３２を０に設定する。
【００５１】
すなわち、本実施例では、印刷履歴のある録画情報に対して、流れ１４５、１４６、１４７において、重要度を設定する。
【００５２】
以上、図４とともに本実施例の設定処理について説明した。
【００５３】
なお、図４に図示していないが、映像コンテンツの重要度の設定については、再生時間の多いものほど重要とする設定や少ないものほど重要とする設定、外部記憶手段であるメモリカードや、ＤＶＤディスクに保存した履歴により重要度を設定できるようにしてもよい。
【００５４】
また、ハードディスクの残容量が、一定時間分以下になると、消去候補ファイルを設定処理として、加えてもよい。また残容量が少なくなってきた時の警告を設定値により変化できるようにしてもよい。
【００５５】
図５はデジタルビデオレコーダ１において、リモコン４を操作者が操作し、録画ボタン押下時の処理流れを示す。
【００５６】
流れ１６０で録画ボタンが押されると、制御部１４は、流れ１６１でデジタル放送受信中かどうかの判別を行い、受信中であれば、流れ１６２で新たな録画用映像として、ファイル番号を付与し、ハードディスク２１の空きエリアを検索して記憶位置を設定し、記憶位置のアドレスをインデックス２３の開始アドレス２５に書き込む。流れ１６３で録画処理として、受信映像を映像ファイル２２に記憶していく。
【００５７】
流れ１６４でハードディスク２１の記憶残量が設定値Ｘよりも少なくなっているかの判別を行い、設定値Ｘよりも少なくなっている場合は、流れ１６５に進む。設定値よりも記憶残量が多い場合は流れ１６７に進む。ここでの設定値Ｘはたとえば、２時間分の録画容量であり、装置であらかじめ決めておいても良く、設定処理時に可変にしてもよい。
【００５８】
流れ１６５は新たな録画用記憶エリアの確保の為、不要ファイルを決定する処理である。流れ１６５で、重要度を参照して不要ファイルを決定する。図４とともに説明したように、印刷マーク重要度３２を１に設定した場合は、印刷マークのある映像ファイル、すなわち印刷履歴のある映像ファイルを重要と設定しているので、印刷マークのない映像ファイルを不要ファイルとして処理する。また印刷マーク重要度３２を０に設定した場合は、印刷マークのない映像ファイル、すなわち印刷履歴のない映像ファイルを重要としていしているので、印刷マークのある映像ファイルを不要ファイルとして処理する。
【００５９】
不要映像ファイルが決定されると、流れ１６６で不要ファイル上に新たな映像を上書き録画する為、録画アドレスを変更する。上述した流れ１６２から１６６までの処理を流れ１６７で録画中止ボタンが押されるまで繰り返し行う。
【００６０】
以上、本実施例での録画処理を説明した。本実施例では、印刷履歴（印刷マーク２６）により決定される重要度を参照し、録画映像ファイルの中から不要ファイルを決定する。
【００６１】
本実施例の特徴の一つとして、印刷履歴があるかどうかを印刷マーク２６にて判断し、不要ファイルの決定時に印刷マーク２６を参照している。録画処理中にハードディスク２１の記憶残量が少なくなっても自動的に、不要ファイルを特定し、録画処理を継続可能となる。
【００６２】
なお本実施例では記載していないが、他の実施例では、映像ファイル２２を不要ファイルとして特定した際に、印刷履歴がある場合は、印刷対象となったフレームを印刷ファイル２９として残す処理を行う。すなわち、不要ファイルに印刷マークが付加されている場合には、印刷アドレス２８で特定されるフレームを映像ファイル２２から取り出して、印刷ファイル２９に格納する。したがって、映像ファイル２２は、消去しても、そのなかの印刷した１フレームは、印刷ファイル２９として保存することが可能になる。
【００６３】
また、映像フレームを印刷した場合と、メタデータを印刷した場合で重要度を分類してもよい。
【００６４】
また、ハードディスクの残容量が少なくなってくると、録画処理を開始する前に不要ファイル候補を表示し、リモコン４の操作で操作者が消去できるようにしてもよい。
【００６５】
以上実施例１について説明した。
【００６６】
本実施例はデジタルビデオレコーダにおける実施形態を説明したが、デジタルテレビジョンに、ハードディスクを内蔵した形態でもよい。すなわち、デジタルビデオレコーダ１と表示装置２を一体に構成してもよい。
【００６７】
また、デジタル放送受信部１１の代わりにアナログ方法受信部を設けてもよい。アンテナ３の代わりにケーブルから映像を受信するケーブルテレビに応用してもよい。
【００６８】
また、記憶手段として、ハードディスクを用いたが、フラッシュメモリやメモリカードを用いてもよい。
【実施例２】
【００６９】
本実施例では、携帯電話と接続可能なデジタルビデオレコーダ２００について説明する。
【００７０】
図６は、本実施例のシステム構成図である。
【００７１】
なお、実施例１と同一構成部分については、説明を省略する。
【００７２】
図６において、２０１は携帯電話通信部であり、デジタルビデオレコーダ２００の制御入力を携帯電話２０２から受け取るとともに、携帯電話２０２の表示部に印刷画像や、録画した映像を送信する。２０２は携帯電話であり、携帯電話通信網（不図示）を介して、デジタルビデオレコーダ２００の録画、再生、印字制御などの指示をキーボード上に配設されているボタンを使って、行う事が出来る。
【００７３】
このような構成のデジタルビデオレコーダにおいて、携帯電話２０２の操作により、操作者が映像を選択して携帯電話の表示上で再生する場合の処理流れを図７に示す。なお、図７において、流れ２４０から２４９は、コンピュータである制御部１３のプログラムの一部を示す。
【００７４】
図７において流れ２２０で、映像再生のボタン操作を行うと、流れ２２１で携帯電話は、携帯電話通信網（不図示）を経由して、選択コマンドをデジタルビデオレコーダ２００に送信する。
【００７５】
デジタルビデオレコーダ２００は、携帯電話通信部２０１により、選択コマンドを受け取り、モード表示画面を流れ２４０で送信する。このモード表示画面は、再生したい映像をすべての録画映像から選択するか、印刷履歴のある映像の中から選択するかを判別する為の表示画面である。なお、モード表示画面だけでなく、携帯電話で処理する手順のプログラムをＪＡＶＡ（登録商標）言語などで送信してもよい。流れ２２３で、操作者はモード表示画面を受け取った携帯電話２０２を使って、選択方式を選び、その結果をデジタルビデオレコーダ２００に送信する。
【００７６】
デジタルビデオレコーダ２００は、流れ２４１で、操作者がどちらの選択方式を選んだかの判別を行い、すべての映像ファイルから再生対象映像を選択する場合は、流れ２４２に進み、全ファイルのファイル番号２４及びサムネイル２７を映像制御部１２に送信する。
【００７７】
また、印刷した映像から選択することを選んだ場合は、流れ２４３でインデックス検索し、流れ２４４で、印刷マーク２６が付加されているかどうかの判別を行う。印刷マーク２６が付加されている場合は、流れ２４５でファイル番号２４及びサムネイル２７を映像制御部１２に送信する。上述の流れ２４３から２４５を繰り返し、インデックスすべての検索が終了すると流れ２４６の判別で、流れ２４７へ進む。なお、サムネイル２７、印刷マーク２６などの定義は、実施例１と共通である。
【００７８】
流れ２４７で、映像制御部１２の制御により、選択画面作成処理を行う。ハードディスク２１から受信した、ファイル番号２４及びサムネイル２７を元に選択画面を作成し、携帯電話通信部２０１から携帯電話２０２に送信する。
【００７９】
携帯電話２０２は、流れ２２４で、選択画面を受信し表示する。操作者は携帯電話のキーボード上のボタンを操作しながら、次々とサムネイル画像を表示し、流れ２２５で再生を希望する映像に関するサムネイル画像を選択する。流れ２２６で選択した、サムネイルと関連付けられた映像のファイル番号を、デジタルビデオレコーダ２００に送信する。
【００８０】
デジタルビデオレコーダ２００は、流れ２４８で映像のファイル番号を受信し、流れ２４９で映像ファイル２２を特定して、携帯電話２０２に送信する。携帯電話２０２は受信した映像ファイルをもとに、映像処理を行い、表示する。
【００８１】
以上、実施例２につき説明した。
【００８２】
本実施例において、携帯電話で、印刷履歴を参照して、映像を特定し、その映像を受信して携帯電話の表示器で映像を見ることを可能としている。なお、本実施例においては、映像を携帯電話で見る実施例を説明しているが、デジタルビデオレコーダ２００に記憶されている印刷ファイルも見ることが出来るようにしてもよい。
【００８３】
また、本実施例においては携帯電話がデジタルビデオレコーダに接続する実施形態を説明したが、携帯情報機器であるＰＤＡなどを有線または無線で接続する実施形態も考えられる。
【実施例３】
【００８４】
図８は、実施例３におけるシステムを示す。
【００８５】
図において、ネットワーク３００は家庭内のネットワークであり、ＬＡＮ（ローカルエリアネットワーク）といわれている。本実施例においては、有線のＥｔｈｅｒｎｅｔ（登録商標）にてデジタルビデオレコーダ３０１、デジタルテレビ３０２、プリンタ３０３、携帯電話３０４が接続されている。
【００８６】
このような構成によれば、デジタルビデオレコーダ３０１に記憶している映像を、ネットワーク経由でデジタルテレビや、携帯電話に送信可能となる。
【実施例４】
【００８７】
図９は、実施例４におけるインデックスの構成を示している。このインデックスは実施例１で説明した図１でのデジタルビデオレコーダ１のハードディスク２１に記憶されている。
【００８８】
本実施例では、インデックスで管理する内容をより詳しくしている。
【００８９】
図９において、実施例１と同一構成については同一番号を付与している。
【００９０】
映像ファイルの番号であるファイル番号２４と、映像ファイルの開始アドレス２５、印刷履歴があるかどうかを示す印刷マーク２６とともに、印刷の履歴情報として、４０１と４０４の印刷日、４０２と４０５のサムネイル、４０３と４０６の印刷アドレスを記憶している。本実施例は、一つの映像ファイルに対して複数の印刷履歴情報を持つことが可能としている。
【００９１】
図１０は本実施例において、リモコン４の再生ボタンを押下した場合の処理流れを示す。なお、図７は、コンピュータである制御部１３のプログラムの一部を示す。
【００９２】
図３に示した実施例１と、同一処理の部分については、同一番号を付与し、説明を省略する。
【００９３】
流れ１２９で再生を希望する映像ファイルを特定した後、流れ１３０で、その映像ファイルが印刷履歴情報を持ち、操作者が映像再生を途中から希望する場合は、制御部１３は、流れ４３２に進み、流れ４３２でサムネイル４０２，４０５を表示装置２に表示する。操作者が流れ４３３でどちらの映像再生位置から映像を再生したいかを、サムネイルを見て、リモコン４により選択すると、制御部１３は、流れ４３４で選択したサムネイルに対応する印刷アドレスを取得する。制御部１３は、流れ４３５で取得した印刷アドレス、すなわち、４０３の印刷アドレス１または４０６の印刷アドレス２から、流れ４３５で再生するように処理する。
【００９４】
以上、実施例４について説明した。
【００９５】
本実施例では、実施例１と同様デジタルビデオレコーダにて再生処理を行う形態であるが、実施例２と組み合わせて、携帯電話で記憶している映像の一部を再生出来るようにしてもよい。また実施例３と組み合わせ、ネットワーク経由で映像を配信できるようにしてもよい。
【図面の簡単な説明】
【００９６】
【図１】実施例１におけるシステム構成図である。
【図２】実施例１における処理流れ図である。
【図３】実施例１における処理流れ図である。
【図４】実施例１における処理流れ図である。
【図５】実施例１における処理流れ図である。
【図６】実施例２におけるシステム構成図である。
【図７】実施例２における処理流れ図である。
【図８】実施例３におけるシステム構成図である。
【図９】実施例４におけるインデックス構成図である。
【図１０】実施例４における処理流れ図である。
【符号の説明】
【００９７】
１  デジタルビデオレコーダ
１４  制御部
２１  ハードディスク
【図１】
2005175782.tif 000003
【図２】
2005175782.tif 000004
【図３】
2005175782.tif 000005
【図４】
2005175782.tif 000006
【図５】
2005175782.tif 000007
【図６】
2005175782.tif 000008
【図７】
2005175782.tif 000009
【図８】
2005175782.tif 000010
【図９】
2005175782.tif 000011
【図１０】
2005175782.tif 000012